(57)【要約】【課題】  利用者の所望するヘアスタイルに適宜変更可能な帽子本体に取り付けられた毛髪が利用者の地肌に直接触れることなく、利用者に不快感を与えない毛髪付き帽子を提供すること。【解決手段】  帽子本体２の開口下縁部２ａの内面には頭部保護部材３が設けられ、該頭部保護部材３と前記開口下縁部２ａとの間に毛髪１０が設けられていることで、頭部保護部材３の頭部当接面３ａが頭部５の地肌面５ａに接するので、頭部保護部材３の開口下縁部２ａ側に取り付けられた毛髪１０が利用者４の地肌面５ａに直接触れることを防止でき、利用者４に不快感を与えることがないばかりか、皮膚のかぶれを未然に防止できる。【選択図】  図５
2005171436.tif 000002
【特許請求の範囲】
【請求項１】
帽子本体の下部に毛髪が設けられた毛髪付き帽子であって、前記帽子本体の開口下縁部の内面には頭部保護部材が設けられ、該頭部保護部材と前記開口下縁部との間に前記毛髪が設けられていることを特徴とする毛髪付き帽子。
【請求項２】
前記毛髪は前記頭部保護部材と前記開口下縁部との間に着脱可能に取り付けられる請求項１に記載の毛髪付き帽子。
【請求項３】
前記毛髪の取付位置は前記頭部保護部材の前記開口下縁部側に取り付けられる請求項１または２に記載の毛髪付き帽子。
【請求項４】
少なくとも前記頭部保護部材の一部は弾性力を有する部材で構成されている請求項１乃至３のいずれかに記載の毛髪付き帽子。
【請求項５】
前記毛髪は複数の毛髪部に分割され、部分的に取り付け可能になっている前記請求項１乃至４のいずれかに記載の毛髪付き帽子。
【請求項６】
前記毛髪の上端部近傍にはスナップボタンの一方が設けられ、前記頭部保護部材または前記開口下縁部にはスナップボタンの他方が設けられることで、前記毛髪の着脱が行える請求項１乃至５のいずれかに記載の毛髪付き帽子。
【請求項７】
前記毛髪の上端部近傍には面ファスナの一方が設けられ、前記頭部保護部材または前記開口下縁部には面ファスナの他方が設けられることで、前記毛髪の着脱が行える請求項１乃至５のいずれかに記載の毛髪付き帽子。
【請求項８】
前記頭部保護部材は利用者の頭部を包む部材を有し、帽子本体と別体で構成されている請求項１乃至７のいずれかに記載の毛髪付き帽子。
【発明の詳細な説明】
【技術分野】
【０００１】
本発明は、毛髪付き帽子に関する。
【背景技術】
【０００２】
従来、帽子本体の開口下縁部の内面に、例えばナイロン等の合成樹脂により構成された毛髪の上端部を着脱可能に取り付けることで、開口下縁部から毛髪が垂れ下がり、あたかも使用者自身の毛髪のような毛髪付き帽子が考案されている。このような毛髪付き帽子は、利用者が所望の毛髪に交換した帽子をかぶるだけで、多様なデザインのヘアスタイルを楽しむことができた（例えば、特許文献１参照。）。
【０００３】
【特許文献１】特開平１１−２５６４０６号公報（段落０００８−００１０、第１図）
【発明の開示】
【発明が解決しようとする課題】
【０００４】
しかしながら、特許文献１にあっては、毛髪が帽子本体の開口下縁部の内面に取り付けられているので、利用者が毛髪付き帽子をかぶった際には、この毛髪が利用者の頭皮の露出部分である地肌に直接当接し、チクチクと痛く利用者に不快感を与えることがあった。また、帽子に取り付けられた毛髪が地肌に直接触れているので、長時間の使用により蒸れが生じて皮膚がかぶれたりすることがあった。
【０００５】
特に、抗がん剤の副作用により毛髪付き帽子やカツラ等を利用する利用者からは上記した点を改善してほしいという要望が以前よりあった。
【０００６】
そこで本発明は、このような問題点に着目してなされたもので、利用者の所望するヘアスタイルに適宜変更可能な帽子本体に取り付けられた毛髪が利用者の地肌に直接触れることなく、利用者に不快感を与えない毛髪付き帽子を提供することを目的とする。
【課題を解決するための手段】
【０００７】
上記課題を解決するために、本発明の請求項１に記載の毛髪付き帽子は、帽子本体の下部に毛髪が設けられた毛髪付き帽子であって、前記帽子本体の開口下縁部の内面には頭部保護部材が設けられ、該頭部保護部材と前記開口下縁部との間に前記毛髪が設けられていることを特徴としている。
この特徴によれば、毛髪付き帽子を利用者がかぶった際に、頭部保護部材の頭部当接面が利用者の頭部の地肌面に接するので、帽子に取り付けられた毛髪が利用者の地肌に直接触れることを防止でき、利用者に不快感を与えることがないばかりか、皮膚のかぶれを未然に防止できる。
【０００８】
本発明の請求項２に記載の毛髪付き帽子は、請求項１に記載の毛髪付き帽子であって、前記毛髪は前記頭部保護部材と前記開口下縁部との間に着脱可能に取り付けられることを特徴としている。
この特徴によれば、利用者の所望する毛髪の髪型や髪色を適宜選択して、毛髪の取り付け取り換えが自由に行える。
【０００９】
本発明の請求項３に記載の毛髪付き帽子は、請求項１または２に記載の毛髪付き帽子であって、前記毛髪の取付位置は前記頭部保護部材の前記開口下縁部側に取り付けられことを特徴としている。
この特徴によれば、開口下縁部と毛髪が取り付けられた頭部保護部材間には遊間が生じるので、利用者の動きに同調して毛髪もなびき、本来の自然な毛髪に見える。
【００１０】
本発明の請求項４に記載の毛髪付き帽子は、請求項１乃至３のいずれかに記載の毛髪付き帽子であって、少なくとも前記頭部保護部材の一部は弾性力を有する部材で構成されていることを特徴としている。
この特徴によれば、利用者が帽子をかぶった際に弾性力を有する頭部保護部材が利用者の頭部にフィットするので、安易に帽子の位置のずれや脱げが防止できる。
【００１１】
本発明の請求項５に記載の毛髪付き帽子は、請求項１乃至４のいずれかに記載の毛髪付き帽子であって、前記毛髪は複数の毛髪部に分割され、部分的に取り付け可能になっていることを特徴としている。
この特徴によれば、帽子の毛髪取り付け部位に多種多様な毛髪を利用者の好みに応じて組み合わせ、部分毎に取り付けることができるので、ヘアースタイルの自由度を高めることができる。
【００１２】
本発明の請求項６に記載の毛髪付き帽子は、請求項１乃至５のいずれかに記載の毛髪付き帽子であって、前記毛髪の上端部近傍にはスナップボタンの一方が設けられ、前記頭部保護部材または前記開口下縁部にはスナップボタンの他方が設けられることで、前記毛髪の着脱が行えることを特徴としている。
この特徴によれば、一方のスナップボタンと他方のスナップボタンにより、毛髪の取り付け位置がすぐに特定でき、毛髪の取り付け取り外しも容易に行える。
【００１３】
本発明の請求項７に記載の毛髪付き帽子は、請求項１乃至５のいずれかに記載の毛髪付き帽子であって、前記毛髪の上端部近傍には面ファスナの一方が設けられ、前記頭部保護部材または前記開口下縁部には面ファスナの他方が設けられることで、前記毛髪の着脱が行えることを特徴としている。
この特徴によれば、一方の面ファスナと他方の面ファスナにより、毛髪の取り付け位置を細かく調整しながら毛髪の取り付けが行え、取り外しも容易に行える。
【００１４】
本発明の請求項８に記載の毛髪付き帽子は、請求項１乃至７のいずれかに記載の毛髪付き帽子であって、前記頭部保護部材は利用者の頭部を包む部材を有し、帽子本体と別体で構成されていることを特徴としている。
この特徴によれば、頭部保護部材は帽子本体と別体で構成されているので、利用者は毛髪付きの頭部保護部材を頭部から脱ぐことなく、帽子本体のみを交換するだけで容易に利用者の好みに応じた各種の帽子本体を選択することができる。
【発明を実施するための最良の形態】
【００１５】
本発明の実施例を以下に説明する。
【実施例１】
【００１６】
図1は、本発明の実施例１としての毛髪付き帽子の使用例を示す全体斜視図であり、図２は、図１の毛髪付き帽子の一部破断斜視図であり、図３は、帽子本体に毛髪を取り付ける過程を示す正面図であり、図４は、（ａ）は、図３のＢ−Ｂ線の断面図である。（ｂ）は、（ａ）の各部材の分解組立断面図であり、図５は、毛髪部が帽子本体に取り付けられた断面図である。
【００１７】
図１に示されるように、利用者４が毛髪付き帽子１をかぶった状態を示している。この毛髪付き帽子１は、帽子本体２（本実施例ではニット帽を使用）にナイロン等の合成樹脂で構成された毛髪１０が取り付けられ構成されている。また、毛髪１０は後述において詳述するが、帽子本体２から着脱可能になっている。
【００１８】
図２に示されるように毛髪付き帽子１の構造は、帽子本体２の下部位置である開口下縁部２ａの内面に帯状の頭部保護部材３の上端部が縫着され、開口下縁部２ａと頭部保護部材３との間に毛髪１０の上端部が取り付けられている。頭部保護部材３は利用者４の頭部にフィットする程度の弾性力を有している。
【００１９】
次に、毛髪１０と帽子本体２との着脱構成について説明する。図３、図４（ｂ）に示されるように毛髪１０は上端に位置する帯布状の毛髪保持部９に挟持されるように縫い付けられている。さらに、この毛髪保持部９が帯布状の毛髪取付部材８に縫い付けられて毛髪部６が構成されており、毛髪１０が複数の毛髪部６に分割（本実施例では３分割）されている。
【００２０】
また、毛髪取付部材８には一方のスナップボタンであるスナップボタン凸部１１が所定間隔位置に複数の設けられている。頭部保護部材３の開口下縁部２ａ側には帯布状の毛髪固定部材７が縫着され、他方のスナップボタンであるスナップボタン凹部１２が所定間隔位置に複数設けられている。
【００２１】
頭部保護部材３に毛髪部６を取り付けるには、図４（ａ）に示されるようにスナップボタン凸部１１をスナップボタン凹部１２に若干強めに押圧して、嵌合させることで取り付けが行え、毛髪部６を取り外すには頭部保護部材３から毛髪取付部材８を引き剥がすようにすれば、容易に取り外しが行えるようになっている。
【００２２】
このように、毛髪部６にスナップボタン凸部１１、頭部保護部材３にスナップボタン凹部１２が設けられることで、利用者はスナップボタン凹部１２によって毛髪部６の取付位置が容易に特定でき、スナップボタン構造により毛髪部６の着脱が容易に行える。
【００２３】
また、毛髪１０は複数の毛髪部６に分割され、頭部保護部材３に複数設けられたスナップボタン凹部１２の所望の場所に取り付けを行うことができるので、利用者の所望する毛髪の髪型や髪色の毛髪部６を適宜選択し、これらの毛髪部６を好みに応じて部分的に取り付けたり、組み合わせて取り付けることができるので、ヘアースタイルの自由度を高めることができる。
【００２４】
つづいて、頭部保護部材３に毛髪部６が取り付けられた毛髪付き帽子１を実際に利用者４がかぶった場合には、図５に示されるように、弾性力を有する頭部保護部材３が利用者４の頭部５の地肌面５ａにフィットするので、安易に毛髪付き帽子１の位置のずれや脱げが防止できる。
【００２５】
そして、開口下縁部２ａと毛髪１０が取り付けられた頭部保護部材３間には遊間が生じるので、利用者４の動きに同調して毛髪１０も開口下縁部２ａに抑制されることなくなびき、本来の自然な毛髪のように見える。
【００２６】
以上の説明により実施例１では、頭部保護部材３の頭部当接面３ａが頭部５の地肌面５ａに接するので、頭部保護部材３の開口下縁部２ａ側に取り付けられた毛髪１０が利用者４の地肌面５ａに直接触れることを防止でき、利用者４に不快感を与えることがないばかりか、皮膚のかぶれを未然に防止できる。
【実施例２】
【００２７】
次に、本発明の実施例２を図６（ａ）（ｂ）に基づき以下に説明する。図６（ａ）は、帽子本体に毛髪を取り付ける過程を示す断面図であり、図６（ｂ）は、毛髪が帽子本体に取り付けられた断面図である。なお、前述の実施例１と同様の構造部分に関しては、同一の符号を付すことにより詳細な説明は省略することにする。
【００２８】
実施例２における毛髪付き帽子１５は、図６（ａ）に示されるように毛髪１０が取り付けられた毛髪保持部９の頭部保護部材３側には、一方の面ファスナであるループ面ファスナ１３が縫着され、頭部保護部材３の開口下縁部２ａ側には、他方の面ファスナであるフック面ファスナ１４が縫着されており、ループ面ファスナ１３に複数形成されたループが、フック面ファスナ１４に複数形成されたフックに引っ掛かり係止されるようになっている。
【００２９】
そこで、矢印に示されるようにループ面ファスナ１３をフック面ファスナ１４に取り付けることで、図６（ｂ）に示されるように頭部保護部材３に毛髪１０の取り付け、取り外しが容易に行える構成になっている。
【００３０】
以上の説明により実施例２では、ループ面とフック面の関係により、取り付け位置を細かく調整しながら毛髪１０の取り付けが行えるようになっており、実施例１と同様に頭部保護部材３の頭部当接面３ａが頭部５の地肌面５ａに接するので、毛髪１０が利用者４の地肌面５ａに直接触れることを防止でき、利用者４に不快感を与えることがない。
【実施例３】
【００３１】
次に、本発明の実施例３を図７（ａ）（ｂ）に基づき以下に説明する。図７（ａ）は、帽子本体に毛髪を取り付ける過程を示す断面図であり、図７（ｂ）は、毛髪が帽子本体に取り付けられた断面図である。なお、前述の実施例１と同様の構造部分に関しては、同一の符号を付すことにより詳細な説明は省略することにする。
【００３２】
実施例３における毛髪付き帽子１６は、図７（ａ）に示されるように頭部保護部材３と帽子本体１６の開口下縁部２ａが別体に構成され、頭部保護部材３には、一方のスナップボタンであるスナップボタン凸部１１が設けられた毛髪取付部材８が縫着され、開口下縁部２ａには、他方のスナップボタンであるスナップボタン凹部１２が設けられた毛髪固定部材７が縫着されており、毛髪取付部材８の下方には毛髪１０が取り付けられた毛髪保持部９が縫着されている。
【００３３】
そこで、矢印に示されるようにスナップボタン凹部１２にスナップボタン凸部１１を押圧して嵌合させることで、図７（ｂ）に示されるように頭部保護部材３を開口下縁部２ａに取り付けられ、毛髪１０が頭部保護部材３と開口下縁部２ａの間に遊間されるように取り付けられる構成になっている。
【００３４】
以上の説明により実施例３では、スナップボタン凹部１２とスナップボタン凸部１１の関係により、実施例１、２と同様に頭部保護部材３の頭部当接面３ａが頭部５の地肌面５ａに接するので、毛髪１０が利用者４の地肌面５ａに直接触れることを防止でき、利用者４に不快感を与えることがない。
【実施例４】
【００３５】
次に、本発明の実施例４を図８に基づき以下に説明する。図８は、毛髪付き帽子を示す斜視図である。なお、前述の実施例１と同様の構造部分に関しては、同一の符号を付すことにより詳細な説明は省略することにする。
【００３６】
実施例４における毛髪付き帽子１７は、図８に示されるように頭部保護部材１８と帽子本体２に相当するキャップ帽１９やニット帽２０が別体に構成されている。頭部保護部材１８は利用者の頭部を包み込む形状に形成されており、頭部保護部材１８の下部外周面にはスナップボタン凹部（図示略）が設けられた毛髪固定部材７が縫着され、毛髪１０を備え毛髪保持部９が縫着された毛髪取付部材８がスナップボタン凸部１１を介して取り付けられている。
【００３７】
利用者が毛髪付き帽子１７を利用するには、まず毛髪１０が取り付けられた頭部保護部材１８を頭部からかぶり、さらに所望のキャップ帽１９やニット帽２０をかぶることで、毛髪付き帽子１７を利用することができる構成になっている。
【００３８】
以上の説明により実施例４では、帽子本体２と頭部保護部材１８とが別体で構成されているので、利用者は毛髪付きの頭部保護部材１８を一度かぶってしまえば、帽子本体２のみを交換するだけで容易に利用者の好みに応じた各種の帽子本体２を選択することができる。なお、実施例４の頭部保護部材１８は頭部全体を包み込んでいるが、部分的に包み込んでもよく、要は頭部保護部材１８が頭部から落ちない構成であればよい。
【００３９】
以上、本発明の４つの実施例を図面により説明してきたが、具体的な構成はこれら実施例に限られるものではなく、本発明の要旨を逸脱しない範囲における変更や追加があっても本発明に含まれ、例えば上記実施例の頭部保護部材３は弾性力を有することで利用者４の頭部５にフィットさせ毛髪や帽子のずれや脱げを防止しているが、本発明はこれに限定されるものではなく、例えば帯状の弾力性のあるバンドを利用して頭部保護部材３を頭部５にしっかりとフィットさせるようにしても良い。
【００４０】
また、上記実施例では、毛髪１０の取り付け位置を頭部保護部材３、１８側に設けた例で説明してきたが、本発明はこれに限定されるものではなく、帽子の開口下縁部２ａ側に取り付けてもよいことは言うまでもない。
【００４１】
更に、上記実施例では、ニット帽２０やキャップ帽１９の帽子本体２が利用されているが、本発明はこれに限定されるものではなく、例えばバンダナ等を利用して利用者４の頭部５と頭部保護部材３、１８の毛髪１０の上端部を包み込むようにかぶっても良い。
【００４２】
また、上記実施例の毛髪付き帽子では、ナイロン等の合成樹脂により構成された人工毛髪を用いているが、本発明はこれに限定されるものではなく、従来公知の人毛や他の動物の毛を用いた天然毛髪を用いても良い。
【００４３】
また、上記実施例では、毛髪１０は複数の毛髪部６に分割されることで、利用者の所望する毛髪の好みに応じて部分的に取り付けたり、組み合わせて取り付けることで、ヘアースタイルの自由度を高めているが、本発明はこれに限定されるものではなく、予め長めの毛髪１０を取り付けることで、利用者が所望するヘアースタイルの長さに切り揃えて髪型を調整するようにしても良い。
【図面の簡単な説明】
【００４４】
【図１】本発明の実施例１における毛髪付き帽子の使用例を示す全体斜視図である。
【図２】図１の毛髪付き帽子の一部破断拡大斜視図である。
【図３】帽子本体に毛髪を取り付ける過程を示す正面図である。
【図４】（ａ）は、図３のＢ−Ｂ線の断面図である。（ｂ）は、（ａ）の各部材の分解組立断面図である。
【図５】毛髪部が帽子本体に取り付けられたことを示す断面図である。
【図６】（ａ）は、本発明の実施例２における帽子本体に毛髪を取り付ける過程を示す断面図である。（ｂ）は、毛髪が帽子本体に取り付けられた断面図である。
【図７】（ａ）は、本発明の実施例３における帽子本体に毛髪を取り付ける過程を示す断面図である。（ｂ）は、毛髪が帽子本体に取り付けられた断面図である。
【図８】本発明の実施例４における毛髪付き帽子を示す斜視図である。
【符号の説明】
【００４５】
１                毛髪付き帽子（実施例１）
２                帽子本体
２ａ              開口下縁部
３                頭部保護部材
３ａ              頭部当接面
４                利用者
５                頭部
５ａ              地肌面
６                毛髪部
７                毛髪固定部材
８                毛髪取付部材
９                毛髪保持部
１０              毛髪（毛髪）
１１              スナップボタン凸部（一方のスナップボタン）
１２              スナップボタン凹部（他方のスナップボタン）
１３              ループ面ファスナ（一方の面ファスナ）
１４              フック面ファスナ（他方の面ファスナ）
１５              毛髪付き帽子（実施例２）
１６              毛髪付き帽子（実施例３）
１７              毛髪付き帽子（実施例４）
１８              頭部保護部材
１９              キャップ帽
２０              ニット帽
【図１】
2005171436.tif 000003
【図２】
2005171436.tif 000004
【図３】
2005171436.tif 000005
【図４】
2005171436.tif 000006
【図５】
2005171436.tif 000007
【図６】
2005171436.tif 000008
【図７】
2005171436.tif 000009
【図８】
2005171436.tif 000010